(57)【特許請求の範囲】
【請求項１】
ＩＣチップを内蔵する移動端末と、電子貨幣を用いた取引の決済を前記ＩＣチップとの間で行うリーダ／ライタとを備える通信システムであって、
前記ＩＣチップは、
認証を行うことなく情報を格納する第１メモリ領域と、
認証を行った後に情報を格納する第２メモリ領域とを有し、
前記第１メモリ領域には、
前記移動端末が位置する特定の地域内でのみ放送され、前記特定の地域に特有の情報を含む地域放送が送信される周波数を示す周波数情報と、前記地域放送の受信に応じて提供される電子貨幣の種類及び値を示す電子貨幣情報と、前記電子貨幣の提供を受けるための所定の条件を示す条件情報とが、前記リーダ／ライタとの間で電子貨幣を用いた取引の決済を行う際に前記リーダ／ライタによって格納され、
前記移動端末は、
前記地域放送を受信する受信部と、
前記周波数情報及び前記条件情報を格納する格納部と、
前記周波数情報を用いて前記地域放送を受信したことにより前記所定の条件が充たされた場合に、前記所定の条件が充たされた旨を示す充足情報を生成し、前記第１メモリ領域に前記充足情報を転送する制御部とを備え、
前記第１メモリ領域は、前記制御部から転送される前記充足情報を格納し、
前記リーダ／ライタは、
前記ＩＣチップとの間で前記電子貨幣を用いた取引の決済を行う際に、前記第１メモリ領域から前記電子貨幣情報及び前記充足情報を取得する充足情報取得部と、
取得した前記充足情報に基づいて、前記移動端末に提供すべき電子貨幣を前記第２メモリ領域に送信する送信部とを備えることを特徴とする通信システム。
【請求項２】
前記所定の条件は、前記周波数情報を取得したときから所定の期間内において、所定の時間以上、前記地域放送を受信することであることを特徴とする請求項１に記載の通信システム。
【請求項３】
リーダ／ライタとの間で電子貨幣を用いた取引の決済を行う移動端末であって、
前記移動端末が位置する特定の地域内でのみ放送され、前記特定の地域に特有の情報を含む地域放送を受信する受信部と、
前記地域放送が送信される周波数を示す周波数情報と、前記地域放送の受信に応じて提供される電子貨幣の種類及び値を示す電子貨幣情報と、前記電子貨幣の提供を受けるための所定の条件を示す条件情報とが、前記リーダ／ライタとの間で電子貨幣を用いた取引の決済を行う際に前記リーダ／ライタから受信するＩＣチップと、
前記周波数情報、前記電子貨幣情報及び前記条件情報とを格納する格納部と、
前記周波数情報を用いて前記地域放送を受信したことにより前記所定の条件が充たされた場合に、前記所定の条件が充たされた旨を示す充足情報を生成し、前記ＩＣチップに前記充足情報を転送する制御部とを備え、
前記ＩＣチップは、
認証を行うことなく情報を格納する第１メモリ領域と、
認証を行った後に情報を格納する第２メモリ領域とを有しており、
前記周波数情報と、前記電子貨幣情報と、前記条件情報とは、前記リーダ／ライタによって前記第１メモリ領域に格納され、
前記充足情報は、前記第１メモリ領域に格納される
ことを特徴とする移動端末。
【発明の詳細な説明】
【技術分野】
【０００１】
本発明は、移動端末と無線通信をするリーダ／ライタを備える通信システム及び移動端末に関する。
【背景技術】
【０００２】
近年、デジタルテレビジョン放送を受信する機能を備える移動端末（例えば、携帯電話やＰＤＡなど）が広く普及しつつある。
【０００３】
また、このような移動端末が特定の店舗、イベント会場、商店街、地下街などの地域に位置する場合において、当該地域に特有の情報をデジタルテレビジョン放送（以下、「地域放送」という。）する技術が提案されている（例えば、非特許文献１、非特許文献２参照）。
【０００４】
通常、地域放送の周波数は地域毎に異なるため、移動端末を用いて地域放送を視聴するには、地域放送の周波数を示す情報を取得する必要がある。
【非特許文献１】「ワンセグ連結再送信装置の開発」〈URL:http://www.nhk.or.jp/strl/publica/giken_dayori/jp2/rd-0702-2.html〉［平成１９年７月１日検索］
【非特許文献２】「世界初、微弱電波によるワンセグコンテンツ配信システム“スポットキャスト”を開発」〈URL:http://pr.fujitsu.com/jp/news/2007/03/5.html〉［平成１９年７月１日検索］
【発明の開示】
【発明が解決しようとする課題】
【０００５】
移動端末に地域放送の周波数を示す情報を取得させる手法としては、移動端末に内蔵されたＩＣチップが電子決済システムを構成するリーダ／ライタと通信を行う際に、地域放送の周波数を示す周波数情報をＩＣチップに送信することが考えられる。
【０００６】
また、ユーザに地域放送に対する関心を持たせる手法としては、地域放送の視聴に応じた電子マネーや電子クーポンなど（以下、「電子貨幣」という。）をユーザに提供することが考えられる。このような電子貨幣は、移動端末に内蔵されるＩＣチップのメモリ領域に格納されることにより利用可能となる。
【０００７】
ここで、ＩＣチップのメモリ領域は、ユーザが自由に情報を書き込めるオープンメモリ領域と、ユーザが情報を書き込めないクローズドメモリ領域とから構成される。電子貨幣は、改ざんされることを防ぐためにクローズドメモリ領域に書き込まれる。クローズドメモリ領域への電子貨幣の書き込みは、電子貨幣サービスを提供する専用サーバによってインターネット等を介して行うか、上記のリーダ／ライタによって行うことができる。
【０００８】
このように、ユーザは、地域放送の視聴に応じて提供される電子貨幣を取得するための条件を満たしても、自らクローズドメモリ領域に電子貨幣を書き込むことはできない。従って、地域放送の視聴に応じて提供される電子貨幣を、リーダ／ライタを用いてクローズドメモリ領域に書き込むための通信システムが望まれる。
【０００９】
そこで、本発明は、このような状況に鑑みてなされたものであり、地域放送の視聴に応じて提供される電子貨幣を、リーダ／ライタを用いてクローズドメモリ領域に書き込むための通信システム及び移動端末を提供することを目的とする。
【課題を解決するための手段】
【００１０】
上述した問題を解決するため、本発明は、次のような特徴を有している。まず、本発明の第１の特徴は、ＩＣチップ（非接触型ＩＣチップ１００）を内蔵する移動端末（移動端末１）と、電子貨幣を用いた取引の決済をＩＣチップとの間で行うリーダ／ライタ（リーダ／ライタ２０）とを備える通信システムであって、ＩＣチップは、認証を行うことなく情報を格納する第１メモリ領域（オープンメモリ領域１０２）と、認証を行った後に情報を格納する第２メモリ領域（クローズドメモリ領域１０４）とを有し、第１メモリ領域には、移動端末が位置する特定の地域内でのみ放送され、特定の地域に特有の情報を含む地域放送が送信される周波数を示す周波数情報（選局情報Ａに含まれる）と、地域放送の受信に応じて提供される電子貨幣の種類及び値を示す電子貨幣情報（電子貨幣情報Ｃ）と、電子貨幣の提供を受けるための所定の条件を示す条件情報（条件情報Ｄ）とが、リーダ／ライタとの間で電子貨幣を用いた取引の決済を行う際にリーダ／ライタによって格納され、移動端末は、地域放送を受信する受信部（受信部１５０）と、周波数情報及び前記条件情報を格納する格納部（格納部１２０）と、周波数情報を用いて地域放送を受信したことにより所定の条件が充たされた場合に、所定の条件が充たされた旨を示す充足情報（充足情報Ｅ）を生成し、第１メモリ領域に充足情報を転送する制御部（制御部１１０）とを備え、第１メモリ領域は、制御部から転送される充足情報を格納し、リーダ／ライタは、ＩＣチップとの間で電子貨幣を用いた取引の決済を行う際に、第１メモリ領域から電子貨幣情報及び充足情報を取得する充足情報取得部（取得部２４）と、取得した充足情報に基づいて、移動端末に提供すべき電子貨幣を第２メモリ領域に送信する送信部（送信部２６）とを備えることを要旨とする。
【００１１】
このように、リーダ／ライタは、移動端末がオープンメモリ領域に一旦格納した充足情報を取得し、地域放送の受信に応じて提供される電子貨幣の種類及び値をクローズドメモリ領域に格納することができる。
【００１２】
本発明の第１の特徴において、所定の条件は、周波数情報を取得したときから所定の期間内において、所定の時間以上、地域放送を受信することであるのが好ましい。
【００１３】
本発明の第２の特徴は、リーダ／ライタ（リーダ／ライタ２０）との間で電子貨幣を用いた取引の決済を行う移動端末（移動端末１）であって、移動端末が位置する特定の地域内でのみ放送され、特定の地域に特有の情報を含む地域放送を受信する受信部（受信部１５０）と、地域放送が送信される周波数を示す周波数情報（選局情報Ａに含まれる）と、地域放送の受信に応じて提供される電子貨幣の種類及び値を示す電子貨幣情報（電子貨幣情報Ｃ）と、電子貨幣の提供を受けるための所定の条件を示す条件情報（条件情報Ｄ）とが、リーダ／ライタとの間で電子貨幣を用いた取引の決済を行う際にリーダ／ライタによって格納されるＩＣチップと、周波数情報、電子貨幣情報及び条件情報とを格納する格納部（格納部１２０）と、周波数情報を用いて地域放送を受信したことにより所定の条件が充たされた場合に、所定の条件が充たされた旨を示す充足情報（充足情報Ｅ）を生成し、ＩＣチップに充足情報を転送する制御部（制御部１１０）とを備え、ＩＣチップは、認証を行うことなく情報を格納する第１メモリ領域（オープンメモリ領域１０２）と、認証を行った後に情報を格納する第２メモリ領域（クローズドメモリ領域１０４）とを有しており、周波数情報と、電子貨幣情報と、条件情報とは、リーダ／ライタによって第１メモリ領域に格納され、充足情報は、第１メモリ領域に格納されることを要旨とする。
【発明の効果】
【００１４】
本発明の特徴によれば、地域放送の視聴に応じて提供される電子貨幣を、リーダ／ライタを用いてクローズドメモリ領域に書き込むための通信システム及び移動端末を提供することができる。
【発明を実施するための最良の形態】
【００１５】
次に、本発明の実施形態について、図面を参照しながら説明する。なお、以下の図面の記載において、同一または類似の部分には、同一または類似の符号を付している。
【００１６】
（１）通信システムの概略
まず、実施形態に係る通信システムの概略について説明する。図１は、本実施形態に係る通信システムの構成図である。
【００１７】
同図に示すように、本実施形態に係る通信システムは、移動端末１と、放送送信局１０と、放送管理サーバ１１と、リーダ／ライタ２０と、ＩＣ管理サーバ２１とを備える。
【００１８】
移動端末１は、いわゆるワンセグ（商標）放送に対応した放送アプリケーションを利用できる移動端末である。ここで、ワンセグ放送とは、地上デジタルテレビジョン放送の１チャンネルあたりの帯域（６MHz）を１３のセグメントに分け、そのうちの１セグメントを利用して提供される移動端末向けの放送である。このような、移動端末１としては、携帯電話やＰＤＡなどを用いることができる。
【００１９】
また、移動端末１は、後述するように、電子マネー、電子クーポン、又は、特定の地域において利用可能なポイントなど（以下、「電子貨幣」という。）を用いた電子決済システムを利用することができる。ここで、決済とは、電子貨幣を用いて商品の購入やサービスの提供を受けること、及び電子貨幣を補充することなどを意味する。
【００２０】
放送送信局１０は、店舗、地下鉄構内、イベント会場、商店街、地下街などの特定の地域において、当該特定の地域に特有な情報の放送（以下、「地域放送」という。）を行う。本実施形態において、地域放送の放送形式は、ワンセグ放送の放送形式に則っている。従って、移動端末１は、ワンセグ放送を受信するための放送アプリケーションを利用して地域放送を受信できる。放送送信局１０は、地域放送に限らず、地上デジタルテレビジョン放送の周波数を変更して再送信していてもよい。放送送信局１０は地域放送を微弱な電波によって送信するため、放送送信局１０のカバーエリアＰは上記特定の地域に対応する狭小な範囲に限られる。放送送信局１０は、放送管理サーバ１１と接続される。放送管理サーバ１１は、地域放送を提供する放送事業者（例えば、特定地域における店舗の事業主）によって設置される。放送管理サーバ１１は、地域放送に関する放送情報ＸをＩＣ管理サーバ２１に送信する。
【００２１】
リーダ／ライタ２０は、ＩＣ管理サーバ２１と接続される。リーダ／ライタ２０及びＩＣ管理サーバ２１は、電子貨幣を用いた電子決済システムを運営する事業者によって設置される。移動端末１は、リーダ／ライタ２０との通信により電子決済を行うことができる。ＩＣ管理サーバ２１は、放送管理サーバ１１から地域放送に関する放送情報Ｘを受信する。ＩＣ管理サーバ２１は、リーダ／ライタ２０に放送情報Ｘを転送する。
【００２２】
（２）放送情報Ｘ
放送情報Ｘは、選局情報Ａ、番組情報Ｂ、電子貨幣情報Ｃ及び条件情報Ｄを含む。
【００２３】
選局情報Ａは、地域放送を選局するための情報、例えば、放送方式、放送ネットワークＩＤ、周波数などを示す情報を含む。
【００２４】
番組情報Ｂは、地域放送される番組の内容、例えば、番組のタイトル，番組内容の要約，視聴時間などを示す情報を含む。
【００２５】
電子貨幣情報Ｃは、地域放送の受信に応じて提供される電子貨幣の種類及び値、例えば、電子マネーの金額，電子クーポン（商品券）の枚数、特定地域の各種サービスに利用可能なポイントの値などを示す。
【００２６】
条件情報Ｄは、地域放送の受信に応じて電子貨幣の提供を受けるための所定の条件を示す。所定の条件としては、例えば、ＢＭＬ（Broadcast Markup Language）上で所定のボタンを押下する等が適用できる。本実施形態における所定の条件は、放送情報Ｘを取得したときから所定の期間内において、所定の時間以上、地域放送を受信することである。
【００２７】
なお、放送情報Ｘは、地域放送を提供する放送事業者（例えば、特定地域における店舗の事業主）によって設定される。
【００２８】
（３）移動端末１の構成
次に、移動端末１の構成について、図２を参照しながら説明する。図２は、移動端末１の構成を示すブロック図である。
【００２９】
同図に示すように、移動端末１は、非接触型ＩＣチップ１００、制御部１１０、格納部１２０、映像出力部１３０、音声出力部１３５、操作部１４０、受信部１５０を備える。
【００３０】
非接触型ＩＣチップ１００は、リーダ／ライタ２０との間で電子貨幣を用いた取引の決済を行う。図３に示すように、非接触型ＩＣチップ１００は、オープンメモリ領域１０２とクローズドメモリ領域１０４とを備える。
【００３１】
オープンメモリ領域１０２は、認証を行うことなく情報を格納することができる、いわゆるフリー領域である。移動端末１がリーダ／ライタ２０との間で電子貨幣を用いた取引の決済を行う場合、オープンメモリ領域１０２には、リーダ／ライタ２０によって放送情報Ｘが格納される。オープンメモリ領域１０２は、後述する放送情報処理部１１２によって放送情報Ｘを取得された後も、放送情報Ｘに含まれる電子貨幣情報Ｃを保持する。オープンメモリ領域１０２は、充足情報生成部１１６から転送される充足情報Ｅを格納する。
【００３２】
クローズドメモリ領域１０４は、認証を行った後に情報を格納することができる、いわゆる共通領域である。クローズドメモリ領域１０４の安全性が確保されているため、クローズドメモリ領域１０４は、電子貨幣の種類及びその値を示す情報を格納する。
【００３３】
制御部１１０は、放送情報処理部１１２、条件判定部１１４及び充足情報生成部１１６を備える。
【００３４】
放送情報処理部１１２は、例えば、移動端末１の放送アプリケーションソフトウェアである。放送情報処理部１１２は、オープンメモリ領域１０２から取得する放送情報Ｘに含まれる各情報の種別に応じて、放送情報Ｘを処理する。
【００３５】
放送情報処理部１１２は、選局情報Ａに含まれる放送方式等に基づいて、地域放送を放送アプリケーションソフトウェアによって受信できるか否か判定する。放送情報処理部１１２は、地域放送を受信できると判定した場合、放送情報Ｘを格納部１２０に転送する。
【００３６】
放送情報処理部１１２は、映像出力部１３０に番組情報Ｂ、電子貨幣情報Ｃ及び条件情報Ｄを転送する。放送情報処理部１１２は、条件判定部１１４に条件情報Ｄを転送する。放送情報処理部１１２は、選局情報Ａに含まれる周波数を示す情報を受信部１５０に転送する。
【００３７】
条件判定部１１４は、放送情報処理部１１２から条件情報Ｄを取得する。条件判定部１１４は、オープンメモリ領域１０２に放送情報Ｘが格納されたときからの経過時間と、受信部１５０が地域放送を連続受信した受信時間とを計測する。条件判定部１１４は、計測した経過時間と受信時間とに基づいて、条件情報Ｄに含まれる所定の条件が充たされたか否かを判定する。条件判定部１１４は、所定の条件が充たされたと判定した場合、その旨を充足情報生成部１１６に通知する。
【００３８】
充足情報生成部１１６は、条件判定部１１４からの通知に基づいて、地域放送の受信に応じて提供される電子貨幣を取得できることを示す充足情報Ｅを生成する。充足情報生成部１１６は、生成した充足情報Ｅをオープンメモリ領域１０２に転送するとともに、その旨を示すフラグ情報を格納部１２０に格納された電子貨幣情報Ｃに付加する。充足情報生成部１１６は、充足情報Ｅをオープンメモリ領域１０２に格納した旨を放送情報処理部１１２に通知する。放送情報処理部１１２は、充足情報Ｅがオープンメモリ領域１０２に格納された旨の通知を受けると、映像出力部１３０又は音声出力部１３５を介して、その旨をユーザに知らせる。
【００３９】
格納部１２０は、放送情報処理部１１２から転送された放送情報Ｘ、即ち、選局情報Ａ、番組情報Ｂ、電子貨幣情報Ｃ及び条件情報Ｄを格納する。格納部１２０は、複数の地域情報に係る放送情報Ｘを区別して格納することができる。
【００４０】
映像出力部１３０は、例えば、移動端末１のディスプレイである。映像出力部１３０は、放送情報処理部１１２から転送された番組情報Ｂ、電子貨幣情報Ｃ及び条件情報Ｄを表示する。映像出力部１３０は、地域放送の受信中は、地域放送に含まれる画像信号又は映像信号を出力する。
【００４１】
音声出力部１３５は、例えば、移動端末１のスピーカである。音声出力部１３５は、放送情報処理部１１２から転送された番組情報Ｂ、電子貨幣情報Ｃ及び条件情報Ｄを音声出力することができる。音声出力部１３５は、映像出力部１３０が番組情報Ｂ、電子貨幣情報Ｃ及び条件情報Ｄを表示する場合、表示に合わせてアラーム音などを出力することができる。音声出力部１３５は、地域放送の受信中は、地域放送に含まれる音声信号を出力する。
【００４２】
操作部１４０は、例えば、移動端末１の表面に配設された操作キーである。操作部１４０は、映像出力部１３０が番組情報Ｂ、電子貨幣情報Ｃ及び条件情報Ｄを表示した場合に、ユーザから地域放送の受信指示を受付ける。操作部１４０は、ユーザから受信指示を受付けた場合、その旨を放送情報処理部１１２に通知する。放送情報処理部１１２は、操作部１４０から通知された受信指示に応じて、選局情報Ａに含まれる周波数を示す情報を受信部１５０に転送する。
【００４３】
受信部１５０は、デジタル放送（ワンセグ放送）を、所定のチャンネル（周波数）にチューニングして受信する。また、受信部１５０は、放送情報処理部１１２から転送される周波数を示す情報に基づいて、地域放送の周波数にチューニングを行う。これにより、受信部１５０は、地域放送を受信する。受信部１５０は、地域放送の放送信号を映像信号と音声信号とに分離し、それぞれを映像出力部１３０と音声出力部１３５とに転送する。受信部１５０は、地域放送の受信中は、随時、条件判定部１１４に受信を継続している旨を通知する。
【００４４】
（４）リーダ／ライタ２０の構成
次に、リーダ／ライタ２０の構成について、図３を参照しながら説明する。図３は、リーダ／ライタ２０の構成と併せて非接触型ＩＣチップ１００の構成を示すブロック図である。
【００４５】
リーダ／ライタ２０は、電子貨幣を用いた取引の決済を移動端末１の非接触型ＩＣチップ１００との間で行う。図３に示すように、リーダ／ライタ２０は、制御部２２、取得部２４及び送信部２６を備える。
【００４６】
制御部２２は、非接触型ＩＣチップ１００との間で電子決済を行う際、取得部２４及び送信部２６を制御して、オープンメモリ領域１０２とクローズドメモリ領域１０４とに格納された情報の読み込み又は書き込みを行う。制御部２２は、非接触型ＩＣチップ１００との間で認証処理を行う。
【００４７】
取得部２４は、オープンメモリ領域１０２に格納された情報を読み込む。具体的に、取得部２４は、オープンメモリ領域１０２に充足情報Ｅが格納されている場合、充足情報Ｅを取得する。取得部２４は、クローズドメモリ領域１０４に格納された電子貨幣に関する情報を書き込む。具体的に、取得部２４は、ユーザが商品を購入した場合、クローズドメモリ領域１０４に格納されている電子マネーの残高から商品代金を差し引いた値を書き込む。
【００４８】
送信部２６は、ＩＣ管理サーバ２１から取得する放送情報Ｘをオープンメモリ領域１０２に格納する。送信部２６は、充足情報Ｅに示される電子貨幣の種類及び値に従って、クローズドメモリ領域１０４に電子貨幣を格納する。送信部２６は、例えば、充足情報Ｅに示される電子貨幣の種類と同種の電子貨幣がクローズドメモリ領域１０４に格納されている場合、充足情報Ｅに示される値を加えた値を書き込む。
【００４９】
（５）地域放送の受信処理
次に、移動端末１において地域放送を受信するまでの動作について、図４を参照しながら説明する。図４は、移動端末１における地域放送の受信処理を説明するためのフローチャートである。
【００５０】
ステップＳ１０１において、放送情報処理部１１２は、リーダ／ライタ２０によってオープンメモリ領域１０２に格納された放送情報Ｘを取得する。
【００５１】
ステップＳ１０２において、放送情報処理部１１２は、選局情報Ａに含まれる地域放送の放送方式等を示す情報に基づいて、移動端末１の放送アプリケーションソフトウェアを用いて地域放送を受信可能であるか否かを判定する。地域放送を受信できる場合、放送情報処理部１１２は、放送情報Ｘを格納部１２０に転送する。一方、放送方式等が相違することにより地域放送を受信できない場合、処理は終了する。
【００５２】
ステップＳ１０３において、格納部１２０は、放送情報処理部１１２から転送される放送情報Ｘを格納する。
【００５３】
ステップＳ１０４において、放送情報処理部１１２は、映像出力部１３０に番組情報Ｂ、電子貨幣情報Ｃ及び条件情報Ｄを転送するとともに、条件判定部１１４に条件情報Ｄを転送する。
【００５４】
ステップＳ１０５において、映像出力部１３０又は音声出力部１３５は、放送情報処理部１１２から転送された番組情報Ｂ、電子貨幣情報Ｃ及び条件情報Ｄを出力する。
【００５５】
ステップＳ１０６において、操作部１４０は、ユーザによる地域放送の受信指示の有無を確認する。ユーザからの受信指示が有った場合、処理はステップＳ１０７に進む。一方、ユーザからの受信指示が無かった場合、処理は終了する。
【００５６】
ステップＳ１０７において、放送情報処理部１１２は、選局情報Ａに含まれる周波数を示す情報を受信部１５０に転送する。
【００５７】
ステップＳ１０８において、受信部１５０は、放送情報処理部１１２から転送される周波数を示す情報に基づいて、地域放送の周波数にチューニングを行う。これにより、地域放送の受信が開始される。
【００５８】
（６）充足情報Ｅの格納処理
続いて、移動端末１において充足情報Ｅを格納するまでの動作について、図５を参照しながら説明する。図５は、移動端末１における充足情報Ｅの格納処理を説明するためのフローチャートである。
【００５９】
ステップＳ２０１において、条件判定部１１４は、オープンメモリ領域１０２に放送情報Ｘが格納されたときからの経過時間と、受信部１５０が地域放送を連続受信した受信時間とに基づいて、条件情報Ｄに含まれる所定の条件が充たされたか否かを判定する。条件判定部１１４は、所定の条件が充たされたと判定した場合、その旨を充足情報生成部１１６に通知し、処理はステップＳ２０２に進む。一方、条件判定部１１４が所定の条件は充たされなかったと判定した場合、処理は終了する。
【００６０】
ステップＳ２０２において、充足情報生成部１１６は、所定の条件が充たされた旨の通知に基づいて、地域放送の受信に応じて提供される電子貨幣を取得できることを示す充足情報Ｅを生成する。充足情報生成部１１６は、非接触型ＩＣチップ１００のオープンメモリ領域１０２に充足情報Ｅを格納する。
【００６１】
ステップＳ２０３において、充足情報生成部１１６は、格納部１２０に格納された電子貨幣情報Ｃに、充足情報Ｅがオープンメモリ領域１０２に格納されたことを示すフラグ情報を付加する。
【００６２】
（７）電子貨幣の格納処理
続いて、リーダ／ライタ２０による電子貨幣の格納処理について、図６を参照しながら説明する。図６は、リーダ／ライタ２０による電子貨幣の格納処理を説明するためのシーケンス図である。
【００６３】
ステップＳ３０１において、オープンメモリ領域１０２には、充足情報生成部１１６から転送された充足情報Ｅが格納される。
【００６４】
ステップＳ３０２において、ユーザが電子決済を行うために移動端末１をリーダ／ライタ２０に近づけると、リーダ／ライタ２０は、移動端末１（非接触型ＩＣチップ１００）の存在を検出する。
【００６５】
ステップＳ３０３において、リーダ／ライタ２０は、クローズドメモリ領域１０４との間で認証を行う。
【００６６】
ステップＳ３０４において、リーダ／ライタ２０は、クローズドメモリ領域１０４との間で電子決済を行う。即ち、リーダ／ライタ２０は、クローズドメモリ領域１０４に格納されている電子貨幣の残高を更新する。
【００６７】
ステップＳ３０５において、リーダ／ライタ２０は、オープンメモリ領域１０２に格納された充足情報Ｅを取得する。
【００６８】
ステップＳ３０６において、リーダ／ライタ２０は、充足情報Ｅに基づいて、移動端末１に提供すべき電子貨幣の種類及びその値を検出する。
【００６９】
ステップＳ３０７において、リーダ／ライタ２０は、充足情報Ｅから検出された電子貨幣の種類及び値をクローズドメモリ領域１０４に格納する。
【００７０】
（８）特定の放送情報Ｘの選択処理
次に、格納部１２０に格納された複数の放送情報の中から特定の放送情報Ｘを選択する動作について、図７を参照しながら説明する。図７は、移動端末１における動作を示すフローチャートである。
【００７１】
ステップＳ４０１において、操作部１４０は、格納部１２０に格納された全ての放送情報の呼び出し指示をユーザから受付ける。
【００７２】
ステップＳ４０２において、放送情報処理部１１２は、格納部１２０に格納されている全ての放送情報について、映像出力部１３０又は音声出力部１３５を介してユーザに知らせる。
【００７３】
ステップＳ４０３において、操作部１４０は、ユーザによる地域放送の受信指示の有無を確認する。ユーザからの受信指示が有った場合、処理はステップＳ４０４に進む。一方、ユーザからの受信指示が無かった場合、処理は終了する。
【００７４】
ステップＳ４０４において、放送情報処理部１１２は、ユーザが選択した放送情報Ｘの選局情報Ａに含まれる周波数を示す情報を受信部１５０に転送する。
【００７５】
ステップＳ４０５において、受信部１５０は、放送情報処理部１１２から転送される周波数を示す情報に基づいて、地域放送の周波数にチューニングを行い、地域放送の受信を開始する。ただし、移動端末１が当該地域放送のカバーエリアＰ外に位置する場合には、映像出力部１３０又は音声出力部１３５を介して、その旨をユーザに知らせて処理は終了する。
【００７６】
ステップＳ４０６において、放送情報処理部１１２は、放送情報Ｘの電子貨幣情報Ｃに、充足情報Ｅがオープンメモリ領域１０２に格納されたことを示すフラグ情報が付加されているか否か確認する。電子貨幣情報Ｃにフラグ情報が付加されていない場合、処理は上記ステップＳ２０１に進む。一方、電子貨幣情報Ｃにフラグ情報が付加されている場合、放送情報処理部１１２は、条件判定部１１４に条件情報Ｄを転送しない。従って、条件情報Ｄに示される所定の条件が充たされたか否かの判定は行われず、充足情報Ｅが再び生成されることはない。
【００７７】
（９）作用及び効果
本実施形態に係る通信システムによれば、移動端末１は、所定の条件を満たした場合に生成される充足情報Ｅを、非接触型ＩＣチップ１００のオープンメモリ領域１０２に格納する。リーダ／ライタ２０は、非接触型ＩＣチップ１００との間で電子貨幣を用いた取引の決済を行う際に、充足情報Ｅに基づく電子貨幣を、非接触型ＩＣチップ１００のクローズドメモリ領域１０４に送信する。
【００７８】
このように、リーダ／ライタ２０は、移動端末１がオープンメモリ領域１０２に一旦格納した充足情報Ｅを取得し、地域放送の受信に応じて提供される電子貨幣の種類及び値をクローズドメモリ領域１０４に格納することができる。
【００７９】
また、本実施形態では、リーダ／ライタ２０によるオープンメモリ領域１０２への放送情報Ｘの格納や、リーダ／ライタ２０によるクローズドメモリ領域１０４への電子貨幣の格納は、リーダ／ライタ２０と非接触型ＩＣチップ１００との間で電子決済が行われる際になされる。
【００８０】
従って、移動端末１のユーザは、放送情報を取得するために、又は、地域放送の受信に応じて提供される電子貨幣を取得するために、特別な手続きを行う必要がない。
【００８１】
ここで、地域放送を提供する放送事業者（例えば、特定地域における店舗の事業主）は、地域放送のカバーエリアは狭小であるため、ユーザが当該カバーエリア内に位置する短期間の間に地域放送をユーザに視聴させたい。
【００８２】
本実施形態において、条件判定部１１４は、放送情報Ｘ（周波数を示す情報を含む）を取得したときから所定の期間内において、所定の時間以上地域放送を受信した場合に、所定の条件が充たされたと判定する。また、番組情報Ｂ、電子貨幣情報Ｃ及び条件情報Ｄは、映像出力部１３０又は音声出力部１３５を介してユーザに通知される。
【００８３】
従って、番組情報Ｂ及び電子貨幣情報Ｃをユーザに通知することにより地域放送に対するユーザの関心を高めるだけでなく、ユーザが特定の地域に位置する短期間の間に地域放送を視聴するように誘導することができる。
【００８４】
また、本実施形態では、リーダ／ライタ２０によってオープンメモリ領域１０２に格納された放送情報Ｘを、映像出力部１３０又は音声出力部１３５を介してユーザに知らせた後に、ユーザからの受信指示に応じて放送情報処理部１１２が受信部１５０を起動する。従って、放送情報Ｘの取得から地域放送の受信までを一連の動作として処理することができる。
【００８５】
（１０）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態が明らかとなろう。
【００８６】
例えば、上記実施形態では、ワンセグ放送の放送方式を用いて地域放送を行うこととして説明したが、他の放送方式によって地域放送を行ってもよい。本発明は、地域放送の放送方式を限定するものではなく、移動端末１の放送アプリケーションによって受信できる放送方式を用いていればよい。
【００８７】
また、上記実施形態では、条件判定部１１４は、受信部１５０が地域放送を連続受信した受信時間を計測することとしたが、断続的に受信した時間の合計を算出してもよい。なお、条件判定部１１４は、条件情報Ｄが示す条件に応じて条件が充たされたか否かを判定するため、判定手法は時間の計測に限らない。
【００８８】
また、上記実施形態では、移動端末１は非接触型ＩＣチップ１００を内蔵することとしたが、接触型ＩＣチップであってもよい。また、非接触型ＩＣチップ１００は、移動端末１に抜き差し可能なカードタイプなどであってもよい。
【００８９】
また、上記実施形態において、リーダ／ライタ２０の取得部２４がオープンメモリ領域１０２から充足情報Ｅを取得する動作は、移動端末１からリーダ／ライタ２０に送信されるコマンドに基づいて行われてもよい。例えば、充足情報生成部１１６が充足情報Ｅを生成する際に、オープンメモリ領域１０２に格納された充足情報Ｅの取得要求コマンドを併せて生成することができる。取得部２４は、このようなコマンドに基づいて充足情報Ｅをオープンメモリ領域１０２から取得する。
【００９０】
また、充足情報Ｅの格納場所は、非接触ＩＣチップ２００のオープンメモリ領域２２０に限らず、例えば、格納部１２０であってもよい。
【００９１】
また、上記実施形態において、地域放送の受信状態が悪化したことによって受信が途絶えた後、受信部１５０が地域放送を受信し直した場合には、条件判定部１１４は新たに受信時間の計測を開始することが好ましい。
【００９２】
また、上記実施形態において、選局情報Ａは、地域放送が放送される期間を示す期間情報を含んでいてもよい。この場合、放送情報処理部１１２は、期間情報に基づいて地域放送が放送されていないと判定した場合には、格納部１２０に放送情報Ｘを転送する前に処理を終了する。
【００９３】
また、オープンメモリ領域１０２に格納された放送情報Ｘが既に格納部１２０に格納されている場合には、放送情報処理部１１２は、格納部１２０に放送情報Ｘを転送する前に処理を終了する。
【図面の簡単な説明】
【００９４】
【図１】本発明の実施形態に係る通信システムの概略構成図である。
【図２】本発明の実施形態に係る移動端末１の構成を示すブロック図である。
【図３】本発明の実施形態に係る非接触型ＩＣチップ１００及びリーダ／ライタ２０の構成を示すブロック図である。
【図４】本発明の実施形態に係る移動端末１における地域放送の受信処理を説明するためのフローチャートである。
【図５】本発明の実施形態に係る移動端末１における充足情報Ｅの格納処理を説明するためのフローチャートである。
【図６】本発明の実施形態に係るリーダ／ライタ２０による電子貨幣の格納処理を説明するためのシーケンス図である。
【図７】本発明の実施形態に係る移動端末１における動作を示すフローチャートである。
【符号の説明】
【００９５】
Ａ…選局情報
Ｂ…番組情報
Ｃ…電子貨幣情報
Ｄ…条件情報
Ｅ…充足情報
Ｐ…カバーエリア
Ｘ…放送情報
１…移動端末
１０…放送送信局
１１…放送管理サーバ
２０…リーダ／ライタ
２１…ＩＣ管理サーバ
２２…制御部
２４…取得部
２６…送信部
１００…非接触型ＩＣチップ
１０２…オープンメモリ領域
１０４…クローズドメモリ領域
１１０…制御部
１１２…放送情報処理部
１１４…条件判定部
１１６…充足情報生成部
１２０…格納部
１３０…映像出力部
１３５…音声出力部
１４０…操作部
１５０…受信部
【図１】
0004926903.tif 000002
【図２】
0004926903.tif 000003
【図３】
0004926903.tif 000004
【図４】
0004926903.tif 000005
【図５】
0004926903.tif 000006
【図６】
0004926903.tif 000007
【図７】
0004926903.tif 000008